(57)【特許請求の範囲】
【請求項１】
器具本体の中央部に設けられ赤外線により人の存否を検知するセンサ素子を有する人体センサ部と、
前記人体センサ部の周囲に設けられ、前方に光を発する発光素子を有する複数の発光部と、
前記発光部の周囲を取り囲む反射面を備える部分を有する反射板と、
赤外線が透過しにくく透光性を有し、前記発光部から発せられる赤外線が前記人体センサ部に侵入するのを防止し、かつ、前記複数の発光部の前方を覆うシールド部と、
を有し、
前記複数の発光部の各々毎に、前記反射板における前記反射面を備える部分が設けられている照明器具。
【請求項２】
請求項１に記載の照明器具において、
前記シールド部は、所定部位に開口部を有し、前記人体センサ部が前記シールド部の前記開口部から覗く位置に配置されている照明器具。
【請求項３】
請求項１に記載の照明器具において、
前記シールド部は、所定部位に開口部を有し、前記シールド部の前記開口部から外側へ前記人体センサ部を突出させ、前記シールド部の内側に前記発光部を配置した照明器具。
【発明の詳細な説明】
【技術分野】
【０００１】
本発明は、人の存否を検知する人体センサ部を有する照明器具に関するものである。
【背景技術】
【０００２】
従来より、人の存否を検知する人体センサ部を有する照明器具が知られている（例えば特許文献１参照）。
図６に示すように、特許文献１に記載の照明器具１００は、合成樹脂製のボディ１０１とカバー１０２を有する。ボディ１０１の内部は区切壁１０３によって端子収容部１０４とプリント基板収容部１０５とに区切られている。端子収容部１０４には、端子板１０６が配設される。端子板１０６には２個１組の鎖錠ばね１０７が配置されており、鎖錠ばね１０７によって電線が端子板１０６に圧接される。
プリント基板収容部１０５にはフラットケーブル１０８で接続された２枚のプリント基板１０９，１１０が収容される。またカバー１０２側に配置されるプリント基板１０９には、光源である発光ダイオード（ＬＥＤ）１１１と、人の動きを検出する人体検知センサ１１２と、周囲照度を検出する明るさセンサ１１３と、端子板１０６が実装されている。
【０００３】
光源は、複数のＬＥＤ１１１をマトリクス状に配設して構成される。カバー１０２には、ＬＥＤ１１１を前面に臨ませる開口窓１１４と、人体検知センサ１１２並びに明るさセンサ１１３の受光面を前面に臨ませるセンサ窓１１５とが設けてある。カバー１０２の開口窓１１４には、透光性を有するセード１１６が装着される。またカバー１０２のセンサ窓１１５は、レンズ１１７によって閉塞される。
レンズ１１７はレンズ支持枠１１８によってセンサ窓１１５に支持されている。このレンズ支持枠１１８に対応するカバー１０２のセンサ窓１１５周縁には、半月状に形成された支持部１１９がカバー１０２の前面に突設されている。レンズ１１７に、外部から熱線が入射すると、熱線は支持枠１１８で反射し、センサに検出される。センサ窓１１５の周縁には、レンズ１１７に入射する熱線を遮蔽し、熱線の検知領域を制限する２個の熱線遮蔽部材１２０，１２０が取り付け可能となっている。これにより、不要な検知領域からの熱線の入射を制御できる。
【先行技術文献】
【特許文献】
【０００４】
【特許文献１】特開２０００−１２２４５号公報（第１図）
【発明の概要】
【発明が解決しようとする課題】
【０００５】
しかしながら、前述したような従来の照明器具１００においては、人体検知センサ１１２が発光部である複数のＬＥＤ１１１の中心から離間した位置に配置されているので、人体検知センサ１１２の検知エリアの中心とＬＥＤ１１１による配光エリアの中心がずれる。このため、配光エリア内に人がいるにもかかわらず人を検知できず、消灯する場合があるという問題がある。また、人体検知センサ１１２を傾けて、ＬＥＤ１１１の中心と人体検知センサ１１２の中心を合わせても、配光エリアと検知エリアが異なるため、同様の問題がある。
また、人体検知センサ１１２の誤作動を招く原因となるＬＥＤ１１１から人体検知センサ１１２への熱線の影響を防止するために、両者の間には縦壁状の支持部１１９が設けられており、照明器具１００の大型化を招くという問題があった。
【０００６】
本発明は、従来の問題を解決するためになされたもので、安価で簡易な構成により、発光部から人体センサへの熱線の影響を防止して、適正に配光できる照明器具を提供することを目的とする。
【課題を解決するための手段】
【０００７】
本発明の照明器具は、器具本体の中央部に設けられ赤外線により人の存否を検知するセンサ素子を有する人体センサ部と、前記人体センサ部の周囲に設けられ、前方に光を発する発光素子を有する複数の発光部と、前記発光部の周囲を取り囲む反射面を備える部分を有する反射板と、赤外線が透過しにくく透光性を有し、前記発光部から発せられる赤外線が前記人体センサ部に侵入するのを防止し、かつ、前記複数の発光部の前方を覆うシールド部と、を有し、前記複数の発光部の各々毎に、前記反射板における前記反射面を備える部分が設けられている。
【０００８】
また、本発明の照明器具は、シールド部は、所定部位に開口部を有し、人体センサ部がシールド部の開口部から覗く位置に配置されているものである。
【０００９】
さらに、本発明の照明器具は、シールド部は、所定部位に開口部を有し、シールド部の開口部から外側へ人体センサ部を突出させ、シールド部の内側に発光部を配置したものである。
【発明の効果】
【００１０】
本発明は、器具本体の中央部に人体センサ部を設け、この人体センサ部の周囲に発光部を設けたので、人体センサ部の検知エリアの中心と、発光部による配光エリアの中心とを一致させることができ、配光エリア内の人を確実に検出できる。また、赤外線が透過しにくく透光性を有するシールド部を設けたので、発光部から発せられる赤外線が人体センサ部に侵入するのを防止することができ、安価で簡易な構成により、発光部から人体センサへの熱線の影響を防止して、適正に配光できるという効果を有する照明器具を提供できる。
【図面の簡単な説明】
【００１１】
【図１】本発明に係る第１実施形態の照明器具を示す斜視図
【図２】（Ａ）は発光部を下方から見た正面図，（Ｂ）は（Ａ）中Ｂ−Ｂ位置の断面図
【図３】照明器具の制御系統を示すブロック図
【図４】照明器具の動作を示すタイムチャート
【図５】第２実施形態の照明器具であり、（Ａ）は発光部を下方から見た正面図，（Ｂ）は（Ａ）中Ｂ−Ｂ位置の断面図
【図６】従来の照明器具の分解斜視図
【発明を実施するための形態】
【００１２】
（第１実施形態）
以下、本発明の第１実施形態の照明器具について、図面を用いて説明する。
図１に示すように、本発明に係る実施形態の照明器具１０は、例えば、天井１１等の被取付部に取り付けて、前方（図１において下方）を照らすダウンライトとして用いることができる。照明器具１０は、器具本体として前方が開口した（開口２５）円筒形状の灯具本体２０を有している。
【００１３】
器具本体２０は、例えばＡｌ，Ｃｕ等の熱伝導性の高い金属で形成されており、灯具本体２０の前部の開口２５の外周には、灯具本体２０を取付けた際に、天井面１１に下側から当接するリング状の器具枠２１を有する。灯具本体２０の後部（図１において上部）には取付台２２が外側へ張り出して取り付けられており、取付台２２には、商用電源に接続される端子台２３が取り付けられている。灯具本体２０の前端部外周面には、複数個（ここでは３個）の取付ばね２４がほぼ等間隔で放射状に設けられており、器具枠２１との間に天井１１を挟んで灯具本体２０を固定する。
【００１４】
器具本体２０の前部の開口２５には、発光部３０および人体を検知する人体センサ部４０および周囲の明るさを検知する照度センサ４３が取り付けられている。図２に示すように、発光部３０は、ＬＥＤユニット３１および反射板３４を有する。ＬＥＤユニット３１は円板状の基板３２および複数個（ここでは、例えば５個）のＬＥＤパッケージ３３を有する。ＬＥＤパッケージ３３は、発光素子であるＬＥＤチップ３３ａを有しており、基板３２の周方向にほぼ等間隔で実装されている。
【００１５】
基板３２の前側（図２（Ｂ）において上側）には、全体円筒形状の反射板３４が取り付けられている。反射板３４は、円形断面の側面３５と、側面３５の前端面に設けられた円板状の前板３６を有する。前板３６には、基板３２上のＬＥＤパッケージ３３の配置に対応して円形の開口部３６ａが設けられており、開口部３６ａから基板３２に向かって曲面状の反射面３４ａが設けられている。従って、ＬＥＤパッケージ３３は、反射面３４ａの内部に収容される。
【００１６】
人体センサ部４０は、検知エリア内の人から放射される赤外線を検知することで人の有無を検知する例えばクワッドタイプ焦電型センサであり、基板３２の中央に設けられている。従って、ＬＥＤパッケージ３３は、人体センサ部４０を中心として、周囲に配置されることになる。人体センサ部４０は、基板３２に実装されたセンサ素子４１と、センサ素子４１の前方に設けられた例えばポリエチレン樹脂製のレンズ４２を有する。
【００１７】
反射板３４の前板３６の前面には、赤外線が透過しにくく透光性を有し、例えばアクリル材から形成されたシールド部５０が設けられている。発光部３０の前方はシールド部５０によって覆われるので、照明光は透過するが、発光部３０から発せられる赤外線は透過しない。シールド部５０の中央には開口部５１が設けられており、基板３２の中央に設けられた人体センサ部４０は、開口部５１から覗くようにして人体を検知する。また、例えばフォトＩＣダイオードを有する照度センサ４３も人体センサ部４０の近傍に設けることができる。あるいは、照度センサ部４３は、シールド部５０の後方に設けても、シールド部５０は透光性を有するので、明るさを検知できる。
【００１８】
次に、図３に基づいて、制御系統について説明する。
照明器具１０は、前述したＬＥＤユニット３１と、ＬＥＤ電源６０を有する。ＬＥＤ電源６０は、制御回路部６１、制御電源部６２、整流平滑部６３、入力保護部６４、定電流電源部６５を有する。
【００１９】
制御回路部６１は中央処理装置であるマイクロコンピュータＩＣ１を有し、人体センサ部４０および照度センサ部４３からの検知信号を受けて、発光部３０を制御して配光する。入力保護部６４は、電流ヒューズ、フィルムコンデンサおよび雑音防止フィルタを有しており、商用電源６６に接続されている。整流平滑部６３は、全波整流平滑回路を構成するダイオードブリッジとアルミ電解コンデンサとの並列回路である。制御電源部６２は、スイッチング電源用ＩＣ、インダクタ、高速ダイオードとからなる降圧チョッパ回路構成にて、直流電圧を生成し、制御回路部６１へ電源供給する。定電流電源部６５は、スイッチング電源用ＩＣ、チョーク、高速ダイオードとからなる降圧チョッパ回路にて定電流電源を生成して、発光部３０に供給する。
【００２０】
次に、図３および図４に基づいて、本照明器具１０の動作を説明する。
人体センサ部４０にて検知された出力信号が制御回路部６１に入力されたとき、照度センサ部４３からの出力信号が所定の点灯開始照度設定値よりも高ければ（Ｔ１およびＴ２の時点）、制御回路部６１は消灯制御と判断し、Ｈｉ出力を受けた定電流電源部６５は発振停止制御となる。このため、発光部３０は消灯状態のままとなる。なお、点灯開始照度設定値は、照度センサ信号の出力特性を考慮して、例えば約５０ルクスに設定できる。
【００２１】
一方、図４中のＴ３時のように、人体センサ部４０にて検知された出力信号が制御回路部６１に入力されたときに、照度センサ部４３から出力信号が点灯開始照度設定値よりも低ければ、制御回路部６１は点灯と判断し、定電流電源部６５への発振停止信号が解除される。これにより、定電流電源部６５は発振を開始し、発光部３０に定電流電源が供給されて即時点灯する。
その後、人体センサ部４０からの出力信号がなくなり、所定の点灯保持時間タイマ（点灯保持時間ＴＬ）が限時動作を完了すると（Ｔ４時点）、制御回路部６１は消灯制御と判断して、Ｈｉ出力を受けた定電流電源部６５は発振停止制御となり、発光部３０は消灯する。なお、点灯保持時間ＴＬの設定は、例えば約１分に設定できる。
【００２２】
発光部３０が消灯する際に熱線の変化が生じるが、人体センサ部４０に対してシールド部５０が熱線を遮断するため、検知エリア周囲で発光部３０からの熱線変化を検知することはない。このため、消灯後に人体センサ部４０が熱線を再び検知して再度点灯するという誤操作はない。
【００２３】
以上、説明した本発明に係る実施形態の照明器具１０によれば、灯具本体２０の中央部に人体センサ部４０を設け、この人体センサ部４０の周囲に発光部３０を配置したので、人体センサ部４０の検知エリアの中心と、発光部３０による配光エリアの中心とをほぼ一致させることができ、配光エリア内の人を確実に検出できる。
また、赤外線が透過しにくく透光性を有し、発光部３０から発せられる赤外線が人体センサ部４０に侵入するのを防止するシールド部５０を設けたので、発光部３０からの赤外線による人体センサ部４０の誤作動を防止できる。これにより、安価で簡易な構成により、発光部３０から人体センサ部４０への熱線の影響を防止して、適正に配光できる。
【００２４】
また、赤外線が透過しにくいシールド部５０に開口部５１を設けて、この開口部５１から人体センサ部４０が覗くようにしたので、人体センサ部４０の適正な検出動作を確保するとともに、発光部３０から発せられる赤外線が人体センサ部４０に侵入するのを防止して、人体センサ部４０の誤作動を防止できる。
【００２５】
（第２実施形態）
次に、本発明に係る第２実施形態の照明器具を図５に示す。なお、前述した第１実施形態にかかる照明器具１０と共通する部位には同じ符号を付して、重複する説明を省略することとする。
図５に示すように、第２実施形態の照明器具１０Ｂは、シールド部５０の開口部５１から外側へ人体センサ部４０Ｂのレンズ４２Ｂを突出させ、シールド部５０の内側に発光部３０を配置した。
【００２６】
以上、説明した本発明に係る第２実施形態の照明器具１０Ｂによれば、赤外線が透過しにくいシールド部５０に開口部５１を設けて、この開口部５１から人体センサ部４０Ｂを突出させたので、人体センサ部４０Ｂの適正な検出動作を確保できる。また、発光部３０をシールド部５０の内側に配置したので、発光部３０から発せられる赤外線が人体センサ部４０Ｂに侵入するのを防止して、人体センサ部４０Ｂの誤作動を防止できる。
また、人体センサ部４０Ｂがシールド部５０から突出しているので、人体センサ部４０Ｂの検知エリアを広くできる。
【００２７】
なお、本発明の照明器具は、前述した各実施形態に限定されるものでなく、適宜な変形，改良等が可能である。
例えば、前述した各実施形態においては、１枚のシールド部で発光部の全体を覆って、発光部から発せられる赤外線が人体センサ部に検知されないようにしたが、発光部の各ＬＥＤパッケージ毎に小さなシールド部を設けることもできる。
【符号の説明】
【００２８】
１０，１０Ｂ  照明器具
２０  灯具本体（器具本体）
３０  発光部
３３ａ  ＬＥＤチップ（発光素子）
４０，４０Ｂ  人体センサ部
４１  センサ素子
５０  シールド部
５１  開口部
【図１】
0005523140.tif 000002
【図２】
0005523140.tif 000003
【図３】
0005523140.tif 000004
【図４】
0005523140.tif 000005
【図５】
0005523140.tif 000006
【図６】
0005523140.tif 000007